(57)【要約】【課題】無線綴じ製本の一部にポリプロピレン・シートを使って環境問題を解決すると共に、製本用接着剤の使用をも可能にすること。【解決手段】ＰＰシート１０は、ポリプロピレン（ＰＰ）からなるシート本体１と、シート本体の背側に巻き付けて貼着された所定幅のタック紙２とを含む。タック紙２の内側でシート本体に筋押し加工によって折曲げ用溝３が設けられる。シート本体１には、収納ポケット５が設けられてもよい。また、シート本体に文字、絵画、図形、写真等が印刷されてもよい。シート本体は、裏側表紙と製本本体２０の最終ページとの間、表側表紙と製本本体の最始ページとの間、製本本体の中間ページに組み付けられてもよい。中間ページは複数でもよい。【選択図】図１
0003119456.tif 000002
【実用新案登録請求の範囲】
【請求項１】
ポリプロピレンからなるシート本体と、および該シート本体の背側に巻き付けて貼着された所定幅のタック紙とを含み、前記タック紙の内側で前記シート本体に筋押し加工によって折曲げ用溝が設けられた、無線綴じ製本用ポリプロピレン・シート。
【請求項２】
前記シート本体に収納ポケットを設けた、請求項１に記載の無線綴じ製本用ポリプロピレン・シート。
【請求項３】
前記シート本体に文字、絵画、図形、写真等が印刷された、請求項１に記載の無線綴じ製本用ポリプロピレン・シート。
【請求項４】
前記シート本体が裏側表紙と製本本体の最終ページとの間に組み付けられた、請求項１−３のうち任意の一項に記載の無線綴じ製本用ポリプロピレン・シート。
【請求項５】
前記シート本体が表側表紙と製本本体の最始ページとの間に組み付けられた、請求項１−３のうち任意の一項に記載の無線綴じ製本用ポリプロピレン・シート。
【請求項６】
前記シート本体が製本本体の中間ページに組み付けられた、請求項１−３のうち任意の一項に記載の無線綴じ製本用ポリプロピレン・シート。
【請求項７】
前記シート本体が製本本体の中間の複数ページに組み付けられた、請求項１−３のうち任意の一項に記載の無線綴じ製本用ポリプロピレン・シート。
【考案の詳細な説明】
【技術分野】
【０００１】
本考案は、無線綴じ製本に組み付けるのに適したポリプロピレン・シートに関する。
【背景技術】
【０００２】
従来の製本技術においては、大別すると、針金綴じ、糸綴じのように針金や糸等の綴じ具を用いた製本と、一般無線綴じ、アジロ綴じ、平綴じ等のように製本用接着剤を使用する製本とがある。本考案の説明において、「無線綴じ」の用語は、製本用接着剤を用いた製本、すなわち、一般無線綴じ、アジロ綴じ、平綴じ等を意味する。一方、これまで、無線綴じ製本の一部のページに塩化ビニール系のプラスチック・シートが使用されているものがある。このプラスチック・シートは公告用ページまたはレシートもしくはカード等を入れるポケットを有するページ等に利用されている（特許文献１）。しかし、近年、環境問題の観点から塩化ビニール系のプラスチック・シートが使用できなくなってきた。
【０００３】
塩化ビニール系のプラスチック・シートは、製本用接着剤を使用することができるが、他のプラスチック・シートでは製本用接着剤を使用できないものもある。例えば、クリアファイル等に使用されているポリプロピレン（以下、単にＰＰと言う。）は、環境問題は起こさないが、製本用接着剤を使用できない。
【特許文献１】実用新案登録第３０１０８３２号公報
【考案の開示】
【考案が解決しようとする課題】
【０００４】
従って、本考案は、無線綴じ製本の一部のページにポリプロピレン・シートを使って環境問題を解決すると共に、製本用接着剤の使用をも可能にすることにある。
【課題を解決するための手段】
【０００５】
無線綴じ製本用ポリプロピレン・シートは、ポリプロピレンからなるシート本体と、およびシート本体の背側（ノド）に巻き付けて貼着された所定幅のタック紙とを含む。タック紙の内側でシート本体に筋押し加工によって折曲げ用溝が設けられる。
【０００６】
シート本体には、収納ポケットが設けられてもよい。また、シート本体に文字、絵画、図形、写真等が印刷されてもよい。
【０００７】
シート本体は、裏側表紙と製本本体の最終ページとの間、表側表紙と製本本体の最始ページとの間、または製本本体の中間ページに組み付けられてもよい。中間ページは複数でもよい。
【考案の効果】
【０００８】
本考案によれば、無線綴じ製本の一部のページに組み付けるプラスチック・シートにポリプロピレンを使っているので、環境問題を起こさない。また、シート本体の背側にタック紙を巻き付けて貼着しているので、製本用接着剤の使用をも可能にする。さらに、シート本体に筋押し加工によって折曲げ用溝を設けているので、シート本体の折曲げが容易になると共に、余剰製本用接着剤が漏出しても、その溝が余剰漏出接着剤を吸収することができる。
【考案を実施するための最良の形態】
【０００９】
図１−５を参照して、本考案に基づく無線綴じ製本用ポリプロピレン・シート１０の実施例について説明する。図１、２に示すように、無線綴じ製本用ポリプロピレン・シート１０（以下、単にＰＰシート１０と言う。）は、ポリプロピレン（ＰＰ）からなるシート本体１と、およびシート本体１の背側（ノド）に巻き付けて貼着された所定幅のタック紙２とを含む。タック紙２の内側でシート本体１に筋押し加工によって折曲げ用溝３が設けられる。タック紙２は、公知の自動包装機械によって自動的に、または適当なジグを用いて手動でシート本体１に貼着される。折曲げ用溝３は、シート本体１の折曲げを容易にすると共に、後述する余剰の製本用接着剤４（図４の（Ｂ）図参照）が漏出しても、接着剤４を吸収することができる。
【００１０】
図３に示すように、シート本体１には、収納ポケット５が設けられてもよい。収納ポケット５は、透明または半透明のＰＰフィルム５１の３辺をシート本体１に貼着または融着することによって形成される。ポケット５には、購買レシートまたは記録カード（図示せず）が収納されてもよい。また、シート本体１に文字、絵画、図形、写真等（図示せず）が印刷されて公告等に利用されてもよい。
【００１１】
図４は、本考案に基づくＰＰシート１０を無線綴じ製本本体２０に組み付ける工程を示す説明図である。先ず、（Ａ）図に示すように、ＰＰシート１０の上に製本本体２０を乗せて整合させる。次いで、（Ｂ）図に示すように、ＰＰシート１０および製本本体２０の背側（ノド）に製本用接着剤４を塗布する。最後に、（Ｃ）図に示すように、ＰＰシート１０および製本本体２０を挟み付けるように表紙３０の背部分内面３１を背側の接着剤４に貼着する。
【００１２】
シート本体１は、裏側表紙３０と製本本体２０の最終ページとの間（図４の（Ｃ）図）、表側表紙３０と製本本体２０の最始ページとの間（図５の（Ａ）図）、または製本本体２０の中間ページ（図５の（Ｂ）図）に組み付けられてもよい。中間ページは複数でもよい（図示せず）。
【産業上の利用可能性】
【００１３】
本考案のポリプロピレン・シートは、一般の無線綴じ製本ばかりではなく、一般の書類整理用ファイル等の文房具にも広く利用できる。
【図面の簡単な説明】
【００１４】
【図１】本考案に基づくＰＰシートの平面図である。
【図２】図１のＩＩ−ＩＩ線から見たＰＰシートの横断面図である。
【図３】図１と同様なＰＰシートの平面図であって、一使用例を示す。
【図４】本考案に基づくＰＰシートを製本本体に組み付ける工程を示す説明図である。
【図５】図４の（Ｃ）図と同様な図面であって製本本体に対するＰＰシートの組付け位置の変更例を示す。
【符号の説明】
【００１５】
１      シート本体                ２      タック紙
３      折曲げ用溝                ４      製本用接着剤
５      ポケット                １０      ＰＰシート
２０      製本本体                ３０      表紙
３１      背部分内面              ５１      ＰＰフィルム
【図１】
0003119456.tif 000003
【図２】
0003119456.tif 000004
【図３】
0003119456.tif 000005
【図４】
0003119456.tif 000006
【図５】
0003119456.tif 000007